(57)【要約】    【課題】      インナーループ送信電力制御とアウターループ送信電力制御とを併用する送信電力制御方法を用いる場合に、同時に通信される全てのデータ系列が所望以上のデータ品質を確保すること。    【解決手段】  誤り検出部１０４−１〜１０４−ｎは、復調データのデータブロックに誤りがあるか否かを検出する。目標受信品質制御部１０５−１〜１０５−ｎは、誤りが発生したか否かに基づいてデータ系列毎に目標受信品質を制御する。最大目標受信品質選択部１０６は、各データ系列の目標受信品質の中の最大値を選択する。送信電力制御コマンド生成部１０７は、目標受信品質の最大値を用いてインナーループ送信電力制御を行う。    【選択図】    図１
2006042127.tif 000002
【特許請求の範囲】
【請求項１】
複数種類のデータ系列を含む無線信号を受信する無線受信手段と、
前記データ系列毎にデータブロックの誤りを検出する誤り検出手段と、
前記誤り検出結果に基づいて前記データ系列毎に目標受信品質を算出する目標受信品質算出手段と、
前記算出された目標受信品質の最大値を選択する最大目標受信品質選択手段と、
前記選択された目標受信品質の最大値を用いてインナーループ送信電力制御を行う送信電力制御手段と、を具備することを特徴とする無線通信装置。
【請求項２】
データ系列毎にデータレートを測定するデータレート測定手段と、
前記測定されたデータレートと前記誤り検出結果に基づいて前記データ系列に被選択権を与えるかどうかを決定する被選択権制御手段と、をさらに具備し、
前記最大目標受信品質選択手段は、前記被選択権を与えられたデータ系列の目標受信品質の中で最大値を選択することを特徴とする請求項１記載の無線通信装置。
【請求項３】
被選択権制御手段は、データレートが閾値未満であり、かつ、所定時間誤りが発生していないデータ系列に対して被選択権を与えず、データレートが前記閾値以上、あるいは、誤りが発生してから所定時間経過していないデータ系列に対して被選択権を与えることを特徴とする請求項２記載の無線通信装置。
【請求項４】
目標受信品質算出手段は、誤りが検出されなかった場合には目標受信品質を所定量減少させ、誤りが検出された場合には目標受信品質を所定量増加させることを特徴とする請求項１から請求項３のいずれかに記載の無線通信装置。
【請求項５】
制御ステップを設定する制御ステップ設定手段を具備し、
目標受信品質算出手段は、誤りが検出されなかった場合には前記制御ステップ設定手段にて設定された制御ステップだけ目標受信品質を減少させることを特徴とする請求項４記載の無線通信装置。
【請求項６】
複数種類のデータ系列を含む無線信号を受信するステップと、
前記データ系列毎にデータブロックの誤りを検出するステップと、
前記誤り検出結果に基づいて前記データ系列毎に目標受信品質を算出するステップと、
前記算出された目標受信品質の最大値を選択するステップと、
前記選択された目標受信品質の最大値を用いてインナーループ送信電力制御を行うステップと、を具備することを特徴とする送信電力制御方法。
【請求項７】
コンピュータに、
複数種類のデータ系列を含む無線信号を受信する手順と、
前記データ系列毎にデータブロックの誤りを検出する手順と、
前記誤り検出結果に基づいて前記データ系列毎に目標受信品質を算出する手順と、
前記算出された目標受信品質の最大値を選択する手順と、
前記選択された目標受信品質の最大値を用いてインナーループ送信電力制御を行う手順と、を実行させることを特徴とするプログラム。
【発明の詳細な説明】
【技術分野】
【０００１】
本発明は、ＣＤＭＡ(Code Division Multiple Access：符号分割多重アクセス)方式を用いた移動体通信システムの無線通信装置及び送信電力制御方法に関する。
【背景技術】
【０００２】
ＣＤＭＡ方式を用いた移動体通信システムでは、ユーザの信号が他ユーザへの干渉となるため、各ユーザ間の通信の送信電力を必要最小限に制御する送信電力制御が用いられている。
【０００３】
送信電力は、理想的には、ＢＬＥＲ（Block Error Rate：データブロック誤り確率）等で表現されるデータ品質が所定の目標値となるように制御されるべきものである。しかし、データ品質の測定には長い時間を要するため、データ品質に基づいて送信電力制御をしたのでは伝播路環境の変動に追従することができない。
【０００４】
そこで、データ品質と相関関係があり、短時間で測定を行うことができる受信品質に基づいて送信電力を制御するインナーループ送信電力制御（クローズドループ送信電力制御ともよばれる）が用いられる。インナーループ送信電力制御は、例えば、ＳＩＲ（Signal to Interference Ratio：信号対干渉比）等で表現される受信品質が目標受信品質となるように、測定した受信品質と目標受信品質との大小関係に基づき通信相手に送信電力の上げ下げを指示する制御である。
【０００５】
ただし、受信品質とデータ品質とはある程度の相関関係があるものの、伝播路環境等の影響により必ずしも一致するものではない。このため、所望のデータ品質になるように目標受信品質を補正するアウターループ送信電力制御を、インナーループ送信電力制御と併用する場合がある。
【０００６】
このアウターループ送信電力制御とインナーループ送信電力制御とを併用する送信電力制御方法の従来技術として特許文献１が知られている。特許文献１には、同時に複数種類のデータ(例えば、音声データ、画像データなど)を同一チャネル上に多重して通信を行う場合の送信電力制御方法について開示されている。図７は従来の無線通信装置の構成を示すブロック図である。
【０００７】
図７に示す無線通信装置において、受信部１２は、アンテナ１１に受信された通信相手からの信号を復調して復調データを生成する。受信品質測定部１３は、受信品質を調べるために復調データを用いて受信ＳＩＲを測定する。
【０００８】
誤り検出部１４−１〜１４−ｎは、多重されたデータ系列の種類ｎだけ設けられ、受信部１２で復調された復調データのデータブロックに誤りがあるか否かを検出し、検出結果を示す情報を目標受信品質算出部１５に出力する。
【０００９】
目標受信品質算出部１５は、誤り検出部１４−１〜１４−ｎのいずれかにおいて誤りが発生したか否かに基づいて目標受信品質を設定する。なお、目標受信品質算出部１５の制御の詳細は後述する。
【００１０】
送信電力制御コマンド生成部１６は、目標受信品質算出部１５で設定された目標受信品質と受信品質測定部１３で測定された受信ＳＩＲとを比較し、受信ＳＩＲが目標受信品質より小さい場合には送信電力を増加させる旨の、目標受信品質より大きい場合には送信電力を減少させる旨の送信電力制御コマンドを生成する。送信部１７は、送信電力制御コマンドを送信データとともに変調し、アンテナ１１から送信する。
【００１１】
次に、所要データ品質が互いに異なる２種類のデータ系列（データ系列１、データ系列２）を同一チャネル上に多重して通信を行う場合の目標受信品質算出部１５の制御について詳細に説明する。
【００１２】
データ系列１の目標ＢＬＥＲをT-BLER[1]、目標受信品質増加量（ステップ）をΔup1、目標受信品質減少量をΔdown1とし、データ系列２の目標ＢＬＥＲをT-BLER[2]、目標受信品質増加量をΔup2、目標受信品質減少量をΔdown2とする。これらの諸量は以下の式（１）を満たす。
Δup1×T-BLER[1]＝Δdown1×（１−T-BLER[1]）
Δup2×T-BLER[2]＝Δdown2×（１−T-BLER[2]）      ・・・（１）
【００１３】
目標受信品質算出部１５は、上記式（１）で求められたΔup1、Δdown1、Δup2、Δdown2を用いて、誤りが発生したデータ系列に着目して目標受信品質T-SIRを以下の式（２）、式（３）のように制御する。
Ａ．データ系列１
誤りが発生した場合  ：T-SIR(t)＝T-SIR(t-1)＋Δup1
誤りが発生しない場合：T-SIR(t)＝T-SIR(t-1)−Δdown1      ・・・（２）
Ｂ．データ系列２
誤りが発生した場合  ：T-SIR(t)＝T-SIR(t-1)＋Δup2
誤りが発生しない場合：T-SIR(t)＝T-SIR(t-1)−Δdown2      ・・・（３）
【００１４】
なお、上記式（２）、式（３）において、制御時刻ｔは、データブロックの誤りを評価する時刻であり、データブロックの符号化長により（ｔ−１）からｔまでの時間は異なる。
【００１５】
この制御方法によれば、データ系列１では平均的に１／（T-BLER[1]）回に１回の誤りが生じるように制御され、データ系列２では平均的に１／（T-BLER[2]）回に１回の誤りが生じるように制御される。
【００１６】
図８は、従来の無線通信装置のアウターループ送信電力制御を説明する図である。図８の横軸は時間、縦軸は目標受信品質である。
【００１７】
図８において、データ系列１の誤りが発生する平均レベルをレベルＡとする。また、データ系列２の誤りが発生する平均レベルはレベルＡ以下である。ただし、レベルＡ以上であってもデータ系列１、データ系列２に誤りが発生する場合がある。また、目標ＢＬＥＲが、T-BLER[1]＜T-BLER[2]の関係にあり、データブロックに誤りが発生しなかった場合、データ系列２の目標受信品質の方がデータ系列１に比べて急峻に下がるものとする。
【００１８】
図８において、Ｔ２１でデータ系列１のデータブロックに誤りが発生したとすると、目標受信品質算出部１５は、データ系列１に着目して目標受信品質をΔup1増加させ、次にどちらかのデータ系列のデータブロックが誤るまでΔdown1ずつ目標受信品質を減少させる。
【００１９】
そして、Ｔ２２でデータ系列２のデータブロックに誤りが生じたとすると、目標受信品質算出部１５は、データ系列２に着目し、目標受信品質をΔup2増加し、次にどちらかのデータ系列のデータブロックが誤るまでΔdown2ずつ目標受信品質を減少させる。
【００２０】
その後（Ｔ２３、Ｔ２４）、再度データ系列１あるはデータ系列２のデータブロックに誤りが発生したとすると、目標受信品質算出部１５は、誤りが発生したデータ系列に着目し、同様な目標受信品質の制御を行う。
【００２１】
このように、従来の無線通信装置では、誤りが発生したデータ系列に着目して目標受信品質の制御を行う。
【００２２】
なお、３ＧＰＰ(3rd Generation Partnership Project)で規定されているＷ−ＣＤＭＡ(Wideband-CDMA)では、データブロックはトランスポートチャネルに相当する。
【特許文献１】特開２００２-５１００７号公報
【発明の開示】
【発明が解決しようとする課題】
【００２３】
ここで、図８において、データ系列１のみについて目標受信品質を制御すると、図８の破線で示されるように、Ｔ２２の次にレベルＡに到達し、データブロックに誤りが発生するタイミングはＴ２５であるので、平均的に1／（T-BLER[1]）回に１回の誤りが生じるように制御でき、データ品質をT-BLER[1]に制御することができる。
【００２４】
しかしながら、データ系列１とデータ系列２の両方について目標受信品質を制御すると、データ系列１に着目して目標受信品質の制御を行っている途中でデータ系列２のデータブロックに誤りが生じた場合、その後、データ系列２に着目して目標受信品質の制御を行うため目標受信品質が急峻に減少し、Ｔ２３のタイミングで目標受信品質がレベルＡを下回ってしまい、データ系列１のデータブロックの誤りを早く発生させてしまう。すなわち、データ系列１のデータ品質は目標ＢＬＥＲ（T-BLER[1]）を満足することができない。
【００２５】
本発明はかかる点に鑑みてなされたものであり、インナーループ送信電力制御とアウターループ送信電力制御とを併用する送信電力制御方法を用いる場合に、同時に通信される全てのデータ系列が所望以上のデータ品質を確保し、且つ、少なくとも１つのデータ系列が所望のデータ品質となるように制御することができる無線通信装置及び送信電力制御方法を提供することを目的とする。
【課題を解決するための手段】
【００２６】
かかる課題を解決するため、本発明の無線通信装置は、複数種類のデータ系列を含む無線信号を受信する無線受信手段と、前記データ系列毎にデータブロックの誤りを検出する誤り検出手段と、前記誤り検出結果に基づいて前記データ系列毎に目標受信品質を算出する目標受信品質算出手段と、前記算出された目標受信品質の最大値を選択する最大目標受信品質選択手段と、前記選択された目標受信品質の最大値を用いてインナーループ送信電力制御を行う送信電力制御手段と、を具備する構成を採る。
【００２７】
また、本発明の送信電力制御方法は、複数種類のデータ系列を含む無線信号を受信するステップと、前記データ系列毎にデータブロックの誤りを検出するステップと、前記誤り検出結果に基づいて前記データ系列毎に目標受信品質を算出するステップと、前記算出された目標受信品質の最大値を選択するステップと、前記選択された目標受信品質の最大値を用いてインナーループ送信電力制御を行うステップと、を具備する方法を採る。
【発明の効果】
【００２８】
本発明によれば、各データ系列の目標受信品質を独立に制御し、目標受信品質の最大値に基づいてインナーループ送信電力制御を行うことにより、すべてのデータ系列が所望以上のデータ品質を満たし、且つ、少なくとも１つのデータ系列が所望のデータ品質となるように送信電力制御を行うことができる。
【発明を実施するための最良の形態】
【００２９】
（実施の形態１）
図１は本発明の実施の形態１の無線通信装置の構成を示すブロック図である。図１に示す無線通信装置において、受信部１０２は、アンテナ１０１に受信された通信相手からの信号を復調して復調データを生成する。受信品質測定部１０３は、受信品質を調べるために復調データを用いて受信ＳＩＲを測定する。
【００３０】
誤り検出部１０４−１〜１０４−ｎは、多重されたデータ系列の種類ｎだけ設けられ、受信部１０２で復調された復調データのデータブロックに誤りがあるか否かを検出し、検出結果を示す情報を対応する目標受信品質算出部１０５−１〜１０５−ｎに出力する。
【００３１】
目標受信品質算出部１０５−１〜１０５−ｎは、多重されたデータ系列の種類ｎだけ設けられ、誤りが発生したか否かに基づいてデータ系列毎に目標受信品質を算出する。最大目標受信品質選択部１０６は、各データ系列の目標受信品質の中の最大値（以下、「最大目標受信品質」という）を選択する。なお、目標受信品質算出部１０５−１〜１０５−ｎ及び最大目標受信品質選択部１０６の制御の詳細は後述する。
【００３２】
送信電力制御コマンド生成部１０７は、最大目標受信品質選択部１０６で選択された最大目標受信品質と受信品質測定部１０３で測定された受信ＳＩＲとを比較して、受信ＳＩＲが最大目標受信品質より小さい場合には送信電力を増加させる旨の、最大目標受信品質より大きい場合には送信電力を減少させる旨の送信電力制御コマンドを生成する。送信部１０８は、送信電力制御コマンドを送信データとともに変調し、アンテナ１０１から送信する。
【００３３】
次に、図２に示すフロー図を用いて、本実施の形態に係る無線通信装置の最大目標受信品質を決定する制御を説明する。
【００３４】
まず、無線通信装置は、各データ系列ｉ（ｉは１からｎまでの整数）の目標受信品質増加量Δup[i]、目標受信品質減少量Δdown[i]を決定する(ＳＴ２０１)。
【００３５】
次に、無線通信装置は、各データ系列についてデータブロック毎に誤り検出を行い、誤りが発生したデータブロックの目標受信品質[i]をΔup[i]上昇させ、誤りが発生しなかったデータブロックの目標受信品質[i]をΔdown[i]減少させる（ＳＴ２０２〜ＳＴ２０６)。
【００３６】
最後に、無線通信装置は、目標受信品質T-SIR[i]の中の最大値である最大目標受信品質を選択する（ＳＴ２０７）。
【００３７】
次に、所要データ品質が互いに異なる２種類のデータ系列（データ系列１、データ系列２）を同一チャネル上に多重して通信を行う場合の目標受信品質算出部１０５−１、１０５−２及び最大目標受信品質選択部１０６の制御について詳細に説明する。
【００３８】
データ系列１の目標ＢＬＥＲをT-BLER[1]、目標受信品質増加量（ステップ）をΔup1、目標受信品質減少量をΔdown1とし、データ系列２の目標ＢＬＥＲをT-BLER[2]、目標受信品質増加量をΔup2、目標受信品質減少量をΔdown2とする。これらの諸量は以下の式（４）を満たす。
Δup1×T-BLER[1]＝Δdown1×（１−T-BLER[1]）
Δup2×T-BLER[2]＝Δdown2×（１−T-BLER[2]）      ・・・（４）
【００３９】
目標受信品質算出部１０５−１は、上記式（４）で求められたΔup1、Δdown1を用いて、データ系列１の目標受信品質T-SIR[1]を以下の式（５）により算出する。
誤りが発生した場合  ：T-SIR[1](t)＝T-SIR[1](t-1)＋Δup1
誤りが発生しない場合：T-SIR[1](t)＝T-SIR[1](t-1)−Δdown1      ・・・（５）
【００４０】
目標受信品質算出部１０５−２は、上記式（４）で求められたΔup2、Δdown2を用いて、データ系列２の目標受信品質T-SIR[2]を以下の式（６）により算出する。
誤りが発生した場合  ：T-SIR[2](t)＝T-SIR[2](t-1)＋Δup2
誤りが発生しない場合：T-SIR[2](t)＝T-SIR[2](t-1)−Δdown2      ・・・（６）
【００４１】
なお、上記式（５）、式（６）において、制御時刻ｔは、データブロックの誤りを評価する時刻であり、データブロックの符号化長により（ｔ−１）からｔまでの時間は異なる。
【００４２】
この制御方法によれば、データ系列１では平均的に１／（T-BLER[1]）回に１回の誤りが生じるように制御され、データ系列２では平均的に１／（T-BLER[2]）回に１回の誤りが生じるように制御される。
【００４３】
最大目標受信品質選択部１０６は、目標受信品質算出部１０５−１、１０５−２のいずれかから目標受信品質が出力されたタイミングにて各データ系列の目標受信品質の中の最大値である最大目標受信品質T-SIRを選択する（以下の式（７））。
T-SIR(t)＝Ｍａｘ（T-SIR[1](t)，T-SIR[2](t)）      ・・・（７）
【００４４】
図３は、本実施の形態に係る無線通信装置のアウターループ送信電力制御を説明する図である。図３の横軸は時間、縦軸は目標受信品質である。なお、図３における諸条件は、図８の従来技術と比較しやすいように全く同じであるとする。また、Ｔ３０１では、データ系列１の目標受信品質T-SIR[1]とデータ系列２の目標受信品質T-SIR[2]とが等しい値であるとし、Ｔ３０１から本実施の形態の制御が行われるものとして説明する。
【００４５】
図３において、Ｔ３０１で、データ系列２のデータブロックに誤りが発生したとする。この場合、T-SIR[2]はΔup2だけ増加する。一方、T-SIR[1]はΔdown1だけ減少する。そして、T-SIR[2]が最大目標受信品質として選択される。
【００４６】
その後、いずれのデータ系列のデータブロックにも誤りが発生していないため、それぞれのT-SIR[i]を減少させる制御を行う。そして、Ｔ３０２で、T-SIR[1]＞T-SIR[2]となり、最大目標受信品質はT-SIR[1]に切り替わる。このように、誤りの発生の有無にかかわらず最大目標受信品質が切り替わることにより、従来技術のように１つのデータ系列が他のデータ系列の影響により目標受信品質を下げることはない。
【００４７】
また、Ｔ３０３では、再度データ系列２のデータブロックに誤りが発生し、T-SIR[2]をΔup2増加させているが、T-SIR[1]より小さいため、最大目標受信品質には選択されない。従って、目標受信品質は、データ系列１にとっての理想的な制御になっており、Ｔ３０４においてデータ系列１が誤り、目標ＢＬＥＲ（T-BLER[1]）に収束することができる。このとき、T-BLER[1]＜T-BLER[2]であるため、データ系列２の目標ＢＬＥＲ（T-BLER[2]）を満足することができる。
【００４８】
以上説明したように、本実施の形態によれば、各データ系列の目標受信品質を独立に制御し、目標受信品質の最大値を全データ系列の目標受信品質とすることにより、すべてのデータ系列が所望以上のデータ品質を満たし、且つ、少なくとも１つのデータ系列が所望のデータ品質となるように送信電力制御を行うことができる。
【００４９】
（実施の形態２）
パケットサービスや制御信号など、無線通信装置間で間欠的に送受信され、トラフィック量が少ないデータが含まれる場合、当該データが受信されない期間は目標受信品質の制御が停止するので、長期的に見た時間あたりの目標受信品質減少量が非常に小さくなり、目標受信品質を減少させるまでに長時間かかってしまう。その結果、通信相手に過剰な送信電力を要求することになりシステム容量の減少を招いてしまう。
【００５０】
実施の形態２では、この課題を解決すべく、トラフィック量が少ないデータが含まれる場合の送信電力制御について説明する。
【００５１】
図４は、本実施の形態に係る無線通信装置の構成を示すブロック図である。なお、図４において、図１と共通する構成部分には、図１と同一符号を付し、詳しい説明を省略する。図４に示す無線通信装置は、図１に示した無線通信装置と比較して、データレート測定部４０１−１〜４０１−ｎと、被選択権制御部４０２とを追加した構成を採る。
【００５２】
誤り検出部１０４−１〜１０４−ｎは、多重されたデータ系列の種類ｎだけ設けられ、受信部１０２で復調された復調データのデータブロックに誤りがあるか否かを検出し、検出結果を示す情報を対応する目標受信品質算出部１０５−１〜１０５−ｎ及び被選択権制御部４０２に出力する。
【００５３】
データレート測定部４０１−１〜４０１−ｎは、多重されたデータ系列の種類ｎだけ設けられ、各データ系列の所定期間におけるデータレートを測定する。なお、データレートとして、所定の時間あたりの受信したデータブロック数、受信した情報量、トラヒック量等が挙げられる。そして、データレート測定部４０１−１〜４０１−ｎは、測定したデータレートと閾値との大小比較を行い、比較結果を示す情報を被選択権制御部４０２に出力する。
【００５４】
被選択権制御部４０２は、誤り検出部１０４−１〜１０４−ｎからの情報とデータレート測定部４０１−１〜４０１−ｎからの情報とに基づいて最大目標受信品質選択部１０６における被選択権を与えるか否かをデータ系列毎に判断する。具体的には、被選択権制御部４０２は、データレートが閾値未満であり、かつ、所定時間誤りが発生していないデータ系列に対して被選択権を与えず、データレートが閾値以上、あるいは、誤りが発生してから所定時間経過していないデータ系列に対して被選択権を与える。さらに、被選択権制御部４０２は、目標受信品質算出部１０５−１〜１０５−ｎに対し下限値を設定する。
【００５５】
目標受信品質算出部１０５−１〜１０５−ｎは、算出した目標受信品質が下限値を下回る場合、下限値を最大目標受信品質選択部１０６に出力する。
【００５６】
最大目標受信品質選択部１０６は、被選択権制御部４０２において被選択権が与えられたデータ系列の目標受信品質の中から最大目標受信品質を選択する。
【００５７】
次に、所要データ品質が互いに異なる２種類のデータ系列（データ系列１、データ系列２）を同一チャネル上に多重して通信を行う場合の目標受信品質算出部１０５−１、１０５−２、被選択権制御部４０２及び最大目標受信品質選択部１０６の制御について詳細に説明する。
【００５８】
図５は、本実施の形態に係る無線通信装置のアウターループ送信電力制御を説明する図である。図５の横軸は時間、縦軸は目標受信品質である。なお、図５において、データ系列１を低トラフィックデータ（間欠的に受信されるデータ）とし、他の諸条件は図２と同一であるとする。
【００５９】
期間５０１は、最初のデータレート測定期間であり、この期間では、データ系列１にも被選択権が与えられる。図５では、期間５０１においての間、データ系列１の目標受信品質T-SIR[1]の方がデータ系列２の目標受信品質T-SIR[2]より大きいので、最大目標受信品質としてT-SIR[1]が選択される。
【００６０】
ここで、図５において、判定期間５０１ではデータ系列１のデータレートが閾値以下であったとする。この場合、期間５０１の終了後、データ系列１に被選択権が与えられない。
【００６１】
したがって、期間５０２では、データ系列２の目標受信品質T-SIR[2]がデータ系列１の目標受信品質T-SIR[1]より小さいが、T-SIR[1]が最大目標受信品質となる。なお、Ｔ５０３では、データ系列１を受信したがデータ系列１のデータブロックに誤りが発生していないので、データ系列１には被選択権が与えられず、T-SIR[1]はΔdown1減少するのみで、最大目標受信品質には選択されない。
【００６２】
Ｔ５０４でデータ系列１のデータブロックに誤りが発生したとすると、期間５０５ではデータ系列１に被選択権が与えられ、T-SIR[1]が最大目標受信品質として選択される。
【００６３】
なお、図５では、Ｔ５０４の時点での最大目標受信品質からΔup1増加させる場合を示しているが、本発明はこれに限られず、例えば、データ系列１の前回のデータブロックが誤った時点でのT-SIR[1]を記憶し、その値にΔup1増加させる等の制御を行っても良い。
【００６４】
ここで、低トラフィックデータは、目標受信品質の減少が遅くなり、他のデータ系列の目標受信品質T-SIR[i]は下がり続けてしまう。その場合、次に、低トラフィックデータに被選択権が与えられなくなったタイミング（図５のＴ５０６）で他のデータ系列のいずれかが選択されると、目標受信品質が適当なレベルに上昇するまで連続的なデータ誤りが発生してしまう。
【００６５】
この問題を回避するため、低トラフィックデータに被選択権が与えられている期間（図５では期間５０５）には、目標受信品質の下限値が設定される。下限値は、低トラフィックデータに誤りが生じた時刻の各データ系列の目標受信品質T-SIR[i]から固定値（例えば-３dB）だけオフセットした値をとする。
【００６６】
このように、本実施の形態によれば、データレートが所定の閾値より低いデータ系列の目標受信品質が最大目標受信品質として選択されないようにすることができるので、受信されていないデータ系列の目標受信品質に引きずられることなく、受信しているデータ系列に着目して目標受信品質を制御することができ、過剰品質を防ぐことができる。
【００６７】
また、トラフィック量の少ないデータ系列のデータブロックに誤りが発生した場合には、即座に当該データ系列の目標受信品質に被選択権を与えるので、トラフィック量の少ないデータ系列の品質劣化も防ぐことができる。
【００６８】
(実施の形態３)
目標ＢＬＥＲに応じた減少量で目標受信品質を減少させていく従来の方式では、データ系列の所望の受信品質が、設定された目標受信品質より高い場合、所望の受信品質近傍に目標受信品質が収束するまでに時間を要するという問題がある。
【００６９】
例えば、アウターループ送信電力制御の開始直後では、呼接続成功率低下を防ぎ制御信号の品質を確保するために、初期目標受信品質が、想定される最悪環境下での目標受信品質近傍に設定され、所望の受信品質に比べ高くなる。また、シャドウイング等インナーループ送信電力制御の制御が通信環境の変動に追従できない場合、目標受信品質が極端に上がってしまい、通信環境が復帰した時には、所望の受信品質に比べ目標受信品質は高くなってしまう。なお、システムによっては、過剰に目標受信品質を上げて過ぎてしまわないように、測定された受信品質と目標受信品質の差分が一定の範囲に入るように目標受信品質の更新を停止させることもあるが、その場合であっても上記差分までは制御が働いてしまうため、所望の受信品質に比べ目標受信品質は高くなってしまう。
【００７０】
実施の形態３では、この課題を解決すべく、目標受信品質増加量、目標受信品質減少量を制御する場合について説明する。
【００７１】
図６は、本発明の実施の形態３に係る無線通信装置の構成を示すブロック図である。なお、図６において、図１と共通する構成部分には、図１と同一符号を付し、詳しい説明を省略する。図６に示す無線通信装置は、図１に示した無線通信装置と比較して、目標受信品質監視部６０１及び制御ステップ設定部６０２を追加した構成をとる。
【００７２】
目標受信品質監視部６０１は、最大目標受信品質選択部１０６にて前回選択された最大目標受信品質と、受信品質測定部１０３にて測定された受信品質との差を算出し、算出した差が所定の閾値よりも大きかった場合、その旨を示す情報を制御ステップ設定部６０２に出力し、目標受信品質算出部１０５−１〜ｎに目標受信品質算出の停止を指示する。その結果、目標受信品質算出部１０５−１〜ｎからの出力は前回値と一致するので、最大目標受信品質選択部１０６は、前回の値を送信電力制御コマンド生成部１０７に出力する。
【００７３】
また、目標受信品質監視部６０１は、制御リセット情報（ここでは、データ通信の開始、データ通信レートの変更、ハンドオーバーなどを示す）を受信すると、その旨を示す情報を制御ステップ設定部６０２に出力し、目標受信品質算出部１０５−１〜ｎに目標受信品質算出の初期化を指示する。その結果、目標受信品質算出部１０５−１〜ｎからの出力は初期値（例えばそれぞれのデータブロックで想定される最大値など）となり、最大目標受信品質選択部１０６は、それら初期値から最大のものを選択し、前回の値を送信電力制御コマンド生成部１０７に出力する。
【００７４】
制御ステップ設定部６０２は、目標受信品質監視部６０１から入力される情報により、通常動作時の目標受信品質減少量Δdown[i]より大きい特別な制御ステップを設定し、目標受信品質算出部１０５−１〜１０５−ｎに出力する。
【００７５】
また、制御ステップ設定部６０２は、誤り検出部１０４−１〜１０４−ｎにてデータブロックの誤りが検出されると制御ステップを通常の幅に戻す。なお、本発明では、目標受信品質算出部１０５−１〜１０５−ｎからの算出された目標受信品質がある閾値以下になった場合に特別な制御ステップを通常の制御ステップに戻すことも可能である。
【００７６】
目標受信品質算出部１０５−１〜１０５−ｎは、データブロックに誤りが発生しなかった場合、制御ステップ設定部６０２にて設定された制御ステップだけ目標受信電力を減少させる。
【００７７】
このように、本実施の形態によれば、特別な制御ステップを設けて目標受信電力を制御することにより、目標受信品質を所望の受信品質へ短時間で収束させることができる。
【産業上の利用可能性】
【００７８】
本発明は、アウターループ送信電力制御とインナーループ送信電力制御とを併用する送信電力制御方法を行う無線通信装置に用いるに好適である。
【図面の簡単な説明】
【００７９】
【図１】本発明の実施の形態１に係る無線通信装置の構成を示すブロック図
【図２】上記実施の形態に係る無線通信装置の目標受信品質決定のフロー図
【図３】上記実施の形態に係る無線通信装置のアウターループ送信電力制御を説明する図
【図４】本発明の実施の形態２に係る無線通信装置の構成を示すブロック図
【図５】上記実施の形態に係る無線通信装置のアウターループ送信電力制御を説明する図
【図６】本発明の実施の形態３に係る無線通信装置の構成を示すブロック図
【図７】従来の無線通信装置の構成を示すブロック図
【図８】従来の無線通信装置のアウターループ送信電力制御を説明する図
【符号の説明】
【００８０】
１０３  受信品質測定部
１０４  誤り検出部
１０５  目標受信品質算出部
１０６  最大目標受信品質選択部
１０７  送信電力制御コマンド生成部
４０１  データレート測定部
４０２  被選択権制御部
６０１  目標受信品質監視部
６０２  制御ステップ設定部
【図１】
2006042127.tif 000003
【図２】
2006042127.tif 000004
【図３】
2006042127.tif 000005
【図４】
2006042127.tif 000006
【図５】
2006042127.tif 000007
【図６】
2006042127.tif 000008
【図７】
2006042127.tif 000009
【図８】
2006042127.tif 000010